(57)【要約】      （修正有）【課題】繰り返し使用可能で安全性が向上する、上方充填可能なジクロロシラン容器を提供する。【解決手段】ジクロロシラン容器の容器本体１０は、筒状でリング部１１を有し、円弧底部１２と円弧頂部１３とを含む。該円弧頂部は４つの対角にそれぞれ吊金具１４が設けられる。ベース板２０に二つのフォークリフト挿込孔２１が対称的に設けられ、該ベース板には４本の支持棒２２が相対状に立てられ、該容器本体に連接固定されることで開放状の加熱空間２３が形成される。この構造によって、該容器本体は直立状態で安定に保たれて運搬できる。さらに開放状の該加熱空間によって、該容器本体内のジクロロシラン（ＳｉＨ２Ｃｌ２）の残液が加熱方式で完全に気化できるため、該容器本体を傾く必要がない状態において、新たにジクロロシラン（ＳｉＨ２Ｃｌ２）液体を充填できる。【選択図】図１
0003231043.tif 000002
【実用新案登録請求の範囲】
【請求項１】
容器本体と、ベース板と、作動バルブ集合体とを含む上方充填可能なジクロロシラン容器であって、
容器本体は、筒状でリング部を有し、上記リング部は一端に向かって円弧底部が延伸し、上記リング部のもう一端は円弧頂部が延伸し、また上記リング部の直径は７５０ｍｍから８６０ｍｍの間にあり、上記円弧底部から上記円弧頂部の間の最も長い距離は９００ｍｍから１０００ｍｍの間にあるため、上記容器本体は３６０Ｌから４４０Ｌの間のジクロロシラン（ＳｉＨ２Ｃｌ２）液体を収容でき、上記円弧頂部は４つの対角にそれぞれ吊金具が設けられ、
ベース板は、二つのフォークリフト挿込孔が対称的に設けられ、上記ベース板には十字に４本の支持棒が相対状に立てられ、また上記ベース板は上記支持棒によって上記容器本体のリング部に連接固定されることで、上記円弧底部と上記ベース板の間に開放状の加熱空間が形成され、
作動バルブ集合体は、円盤によって上記円弧頂部に固定され、また上記円盤に第一バルブと、第二バルブと、予備バルブと、空気圧バルブとが固定され、上記第一バルブは上記容器本体と繋がってジクロロシラン（ＳｉＨ２Ｃｌ２）液体を注入することができ、また上記第二バルブは上記容器本体と繋がってジクロロシラン（ＳｉＨ２Ｃｌ２）気体を導出することができ、上記予備バルブは上記容器本体と繋がって上記第一バルブ、上記第二バルブ又は上記空気圧バルブの代わりになり、上記空気圧バルブは上記容器本体と繋がってジクロロシラン（ＳｉＨ２Ｃｌ２）が上記容器本体に進出する流量をコントロールし、上記吊金具と上記フォークリフト挿込孔の四角対称構造によって、上記容器本体は直立状態で安定に保たれて運搬でき、さらに開放状の上記加熱空間によって、上記容器本体内のジクロロシラン（ＳｉＨ２Ｃｌ２）の残液が加熱方式で完全に気化できるため、上記容器本体を傾く必要がない状態において、上記第一バルブよりジクロロシラン（ＳｉＨ２Ｃｌ２）液体を充填することで、繰り返し使用可能となり、安全性向上の効果があることを特徴とする上方充填可能なジクロロシラン容器。
【請求項２】
上記予備バルブには圧力メーターが組み立てられることを特徴とする請求項１の上方充填可能なジクロロシラン容器。
【請求項３】
上記ベース板は正方形で四辺の長さは９００ｍｍから１０００ｍｍの間にあり、上記底板は上記容器本体より突き出した部分に上記支持棒が立てられ、上記ベース板と上記支持棒によって上記容器本体がガードされることを特徴とする請求項１の上方充填可能なジクロロシラン容器。
【請求項４】
上記リング部は同じ間隔で四つの結合片を固定し、上記結合片に開口が形成され、上記開口は上記円弧底部方向に向き、また上記支持棒が上記結合片の開口に挿し込まれ、溶接方式で上記支持棒と上記結合片が連接されことを特徴とする請求項１の上方充填可能なジクロロシラン容器。
【請求項５】
上記加熱空間に加熱器が設置され、上記加熱器は上記容器本体の円弧底部に貼り付けられることを特徴とする請求項１の上方充填可能なジクロロシラン容器。
【請求項６】
上記円盤には完全遮蔽式外カバーが締め付けられ、上記外カバーには複数の吊り板と少なくとも一つの取っ手が設けられることを特徴とする請求項１の上方充填可能なジクロロシラン容器。
【請求項７】
上記容器本体は上記円弧頂部に透かし彫りフレームが固定され、上記フレームが上記作動バルブ集合体を囲んで設けられることを特徴とする請求項１の上方充填可能なジクロロシラン容器。
【請求項８】
上記フレームの頂部面蓋には蓋板が設けられ、上記蓋板には少なくとも一つの取っ手が設けられることを特徴とする請求項７の上方充填可能なジクロロシラン容器。
【考案の詳細な説明】
【技術分野】
【０００１】
本考案は化学溶液の貯蔵容器に関し、特に安全性と繰り返し充填使用できる上方充填可能なジクロロシラン容器に関する。
【背景技術】
【０００２】
ジクロロシラン（略してＤＣＳ）は無機化合物であり、化学式はＳｉＨ２Ｃｌ２である。ジクロロシランはミクロ電子内の半導体シリコン層の始発物質であり、その利点は比較的に低い温度で分解でき、また高いシリコン結晶成長速度を有することである。ジクロロシランは化学性質が活発な気体であるため、空気中でも迅速に加水分解して自然発火できるので、空気と接触すると爆発の危険性がある。また、ジクロロシランの毒性が強いため、ジクロロシランを扱う実験は完全な保護処置が必要とするため、貯蔵容器の使用、運搬と充填などすべて注意しなければならず、ジクロロシランの貯蔵容器は少量でビン詰めが多く見られ、万が一の危険性と損害程度を最小限に抑える。しかし、小型ビンは運搬、詰め替えの回数を増やしてしまうため、安全性を有効に向上できないことで、本考案は上述の欠点を克服すべく、大型貯蔵容器を改良し、約４００Ｌのジクロロシランが安全性と詰め替えやすい効果を兼ねる。
【０００３】
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００４】
本考案が解決しようとする課題は現在技術における上述の欠点を解決し、上方充填可能なジクロロシラン（ＳｉＨ２Ｃｌ２）容器を提供する。
【課題を解決するための手段】
【０００５】
容器本体は筒状でリング部を有し、該リング部は一端に向かって円弧底部が延伸し、該リング部のもう一端は円弧頂部が延伸しる。また該リング部の直径は７５０ｍｍから８６０ｍｍの間にあり、該円弧底部から該円弧頂部の間の最も長い距離は９００ｍｍから１０００ｍｍの間にあるため、該容器本体は３６０Ｌから４４０Ｌの間のジクロロシラン（ＳｉＨ２Ｃｌ２）液体を収容でき、該円弧頂部は４つの対角にそれぞれ吊金具が設けられる。ベース板に二つのフォークリフト挿込孔が対称的に設けられ、該ベース板には十字に４本の支持棒が相対状に立てられる。また該ベース板は上述支持棒によって該容器本体のリング部に連接固定されることで、該円弧底部と該ベース板の間に開放状の加熱空間が形成される。作動バルブ集合体は円盤によって該円弧頂部に固定され、また該円盤に第一バルブと、第二バルブと、予備バルブと、空気圧バルブとが固定される。該第一バルブは該容器本体と繋がってジクロロシラン（ＳｉＨ２Ｃｌ２）液体を注入することができ、また該第二バルブは該容器本体と繋がってジクロロシラン（ＳｉＨ２Ｃｌ２）気体を導出することができる。該予備バルブは該容器本体と繋がって該第一バルブ、該第二バルブ又は該空気圧バルブの代わりになり、該空気圧バルブは該容器本体と繋がってジクロロシラン（ＳｉＨ２Ｃｌ２）が該容器本体に進出する流量をコントロールする。該吊金具と該フォークリフト挿込孔の四角の対称する位置に設けられる構造によって、該容器本体は直立状態で安定に保たれて運搬できる。さらに開放状の該加熱空間によって、該容器本体内のジクロロシラン（ＳｉＨ２Ｃｌ２）の残液が加熱方式で完全に気化できるため、該容器本体を傾く必要がない状態において、該第一バルブよりジクロロシラン（ＳｉＨ２Ｃｌ２）液体を充填することで、繰り返し使用可能となり安全性向上の効果がある。
【０００６】
該予備バルブには圧力メーターが組み立てられる。
【０００７】
該ベース板は正方形で四辺の長さは９００ｍｍから１０００ｍｍの間にあり、該底板は該容器本体より突き出した部分に該支持棒が立てられ、該ベース板と該支持棒によって該容器本体がガードされる。
【０００８】
該リング部は同じ間隔で四つの結合片を固定し、該結合片に開口が形成され、該開口は該円弧底部方向に向く。また該支持棒が該結合片の開口に挿し込まれ、溶接方式で該支持棒と該結合片が連接される。
【０００９】
該加熱空間に加熱器が設置され、該加熱器は該容器本体の円弧底部に貼り付けられる。
【００１０】
該円盤には完全遮蔽式外カバーが締め付けられ、該外カバーには複数の吊り板と少なくとも一つの取っ手が設けられる。
【００１１】
該容器本体は該円弧頂部に透かし彫りフレームが固定され、該フレームが該作動バルブ集合体を囲んで設けられる。
【００１２】
該フレームの頂部面蓋には蓋板が設けられ、該蓋板には少なくとも一つの取っ手が設けられる。
【００１３】
本考案の第一主な目的は、該底板は四角の対称する位置に設けられる該支持棒によって該容器本体を空中で固定し、また該容器本体は円弧頂部の四角に該吊金具が固定される。該容器本体を運搬する必要がある時、フォークリフトで該ベース板のフォークリフト挿込孔に挿し込むと、該容器本体がバランスよく持ち上げられため、該容器本体が傾いてしまう状況が防げられる。または該吊金具より該容器本体を直接に吊り上げ、その吊り上げ作業はクレーン車で行える。以上をまとめると、該容器本体を運搬する時、直立状態を安定に保たれることで、該容器本体が傾きによる損害またはジクロロシラン（ＳｉＨ２Ｃｌ２）の漏れを防止でき、運搬の安全性を向上できる。
【００１４】
本考案の第二主な目的は、該底板は四角の対称する位置に設けられる該支持棒によって該容器本体を空中で固定することで、該容器本体の円弧底部と該底板の間に開放式の加熱空間が形成される。該加熱器を直接に該円弧底部とベース板の間に仕切られた加熱空間に入れられ、さらに開放式加熱空間によって加熱器が簡単に入れられまた該円弧底部に貼り付けられることで、該加熱器が直接に該円弧底部に対して加熱でき、該円弧底部にあるジクロロシラン（ＳｉＨ２Ｃｌ２）の残液が全部気化でき、そして第二バルブより排出して使用される。即ち、該容器本体を傾けない前提で、ジクロロシラン（ＳｉＨ２Ｃｌ２）を十分に利用できる。空になった容器本体は再び第一バルブより新たなジクロロシラン（ＳｉＨ２Ｃｌ２）液体を充填できるため、安全性と繰り返し使用する効果を兼ねる。
【図面の簡単な説明】
【００１５】
【図１】図１は、本考案に係る上方充填可能なジクロロシラン容器の立体図である。
【図２】図２は、本考案に係る上方充填可能なジクロロシラン容器の正面を示す図である。
【図３】図３は、本考案の作動バルブ集合体の局部立体図である。
【図４】図４は、本考案の底部を加熱することを示す図である。
【図５】図５は、本考案に圧力メーターが組み立てられた図である。
【図６】図６は、本考案が容器本体を交換した図である。
【図７】図７は、本考案の別の実施例の立体図である。
【図８】図８は、本考案のまた別の実施例の立体図である。
【図９】図９は、本考案のまた別の実施例が蓋板を取り付けた立体図である。
【考案を実施するための形態】
【００１６】
まず、図１から図３を参照されたい。本考案の上方充填可能なジクロロシラン（ＳｉＨ２Ｃｌ２）容器は、容器本体１０と、ベース板２０と、作動バルブ集合体３０とを含む。容器本体１０は筒状でリング部１１を有し、該リング部１１は一端に向かって円弧底部１２が延伸し、該リング部１１のもう一端は円弧頂部１３が延伸する。また該リング部１１の直径Ａは７５０ｍｍから８６０ｍｍの間にあり、該円弧底部１２から該円弧頂部１３の間の最も長い距離Ｂは９００ｍｍから１０００ｍｍの間にあるため、該容器本体１０は３６０Ｌから４４０Ｌの間のジクロロシラン（ＳｉＨ２Ｃｌ２）液体を収容できる。該円弧頂部１３は４つの対角にそれぞれ吊金具１４が設けられ、ベース板２０に二つのフォークリフト挿込孔２１が対称的に設けられ、該ベース板２０には十字に４本の支持棒２２が相対状に立てられる。また該ベース板２０は上述支持棒２２によって該容器本体１０のリング部１１に連接固定されることで、該円弧底部１２と該ベース板２０の間に開放状の加熱空間２３が形成される。該加熱空間２３に加熱器２４（図４に示す）が設置され、該加熱器２４は該容器本体１０の円弧底部１２に貼り付けられる。該ベース板２０は正方形で四辺の長さＣは９００ｍｍから１０００ｍｍの間にある、該ベース板２０は該容器本体１０より突き出した部分に該支持棒２２が立てられ、該ベース板２０と該支持棒２２によって該容器本体１０がガードされる。作動バルブ集合体３０は円盤３１によって該円弧頂部１３に固定され、また該円盤３１に第一バルブ３２と、第二バルブ３３と、予備バルブ３４と、空気圧バルブ３５とが固定される。該第一バルブ３２は該容器本体１０と繋がってジクロロシラン（ＳｉＨ２Ｃｌ２）液体を注入することができ、また該第二バルブ３３は該容器本体１０と繋がってジクロロシラン（ＳｉＨ２Ｃｌ２）気体を導出することができる。該予備バルブ３４は該容器本体１０と繋がって該第一バルブ３２、該第二バルブ３３又は該空気圧バルブ３５の代わりになり、また該予備バルブ３４には圧力メーター３４１（図５に示す）が組み立てられる。該空気圧バルブ３５は該容器本体１０と繋がってジクロロシラン（ＳｉＨ２Ｃｌ２）が該容器本体１０に進出する流量をコントロールする。該吊金具１４と該フォークリフト挿込孔２１の四角の対称する位置に設けられる構造によって、該容器本体１０は直立状態で安定に保たれて運搬できる。さらに開放状の該加熱空間２３によって、該容器本体１０内のジクロロシラン（ＳｉＨ２Ｃｌ２）の残液が加熱方式で完全に気化できるため、該容器本体１０を傾く必要がない状態において、該第一バルブ３２よりジクロロシラン（ＳｉＨ２Ｃｌ２）液体を充填することで、繰り返し使用可能となり安全性向上の効果がある。
【００１７】
図６に示されるように、該リング部１１は同じ間隔で四つの結合片１５を固定し、該結合片１５に開口１５１が形成され、該開口１５１は該円弧底部１２方向に向く。また該支持棒２２が該結合片１５の開口１５１に挿し込まれ、溶接方式で該支持棒２２と該結合片１５が連接される。これによって、容器本体１０が交換必要な時、該結合片１５と該支持棒２２の溶接を解除すると、該ベース板２０が繰り返し使用できる。
【００１８】
実際の使用効果は、引き続き図１から図４を参照されたい。該容器本体１０は大型のジクロロシラン（ＳｉＨ２Ｃｌ２）の充填容器である。該リング部１１の直径Ａは７５０ｍｍから８６０ｍｍの間にあり、該円弧底部１２から該円弧頂部１３の間の最も長い距離Ｂは９００ｍｍから１０００ｍｍの間にあるため、該容器本体１０は３６０Ｌから４４０Ｌの間のジクロロシラン（ＳｉＨ２Ｃｌ２）液体を収容できることは、小型容器と比べると特に運搬または充填する時においてより高い安全性が求められるため、本考案は直立状態が保たれて使用、運搬、充填機能があるジクロロシラン（ＳｉＨ２Ｃｌ２）容器を提供する。その中、該底板２０は四角の対称する位置に設けられる該支持棒２２によって該容器本体１０を空中で固定することで、該容器本体１０の円弧底部１２と該底板２０との間に開放式の加熱空間２３が形成される。該加熱空間２３の高さは８０ｍｍから１２０ｍｍの間であるため、該加熱器２４が簡単に入れられる。また該容器本体１０は円弧頂部１３の四角に該吊金具１４が固定され、該容器本体１０を運搬する必要がある時、フォークリフトで該ベース板２０のフォークリフト挿込孔２１に挿し込むと、該容器本体１０がバランスよく持ち上げられるため、該容器本体１０が傾いてしまう状況が防げられる。または該吊金具１４より該容器本体１０を直接に吊り上げ、その吊り上げ作業はクレーン車で行える。以上をまとめると、該容器本体１０を運搬する時、直立状態を安定に保たれることで、該容器本体１０が傾きによる損害またはジクロロシラン（ＳｉＨ２Ｃｌ２）の漏れを防止でき、運搬の安全性を向上できる。また、該容器本体１０内のジクロロシラン（ＳｉＨ２Ｃｌ２）残液が残る時、該容器本体１０内の圧力が不足するため、ジクロロシラン（ＳｉＨ２Ｃｌ２）が完全に気化できない。このため、該加熱器２４を直接に該円弧底部１２とベース板２０の間に仕切られた加熱空間２３に入れられ、さらに開放式加熱空間２３によって加熱器２４が簡単に入れられまた該円弧底部１２に貼り付けられることで、該加熱器２４が直接に該円弧底部１２に対して加熱でき、該円弧底部１２にあるジクロロシラン（ＳｉＨ２Ｃｌ２）の残液が全部気化でき、そして第二バルブ３３より排出して使用される。即ち、該容器本体１０を傾けない前提で、ジクロロシラン（ＳｉＨ２Ｃｌ２）を十分に利用できる。空になった容器本体１０は再び第一バルブ３２より新たなジクロロシラン（ＳｉＨ２Ｃｌ２）液体を充填できるため、安全性と繰り返し使用する効果を兼ねる。
【００１９】
本考案の別の実施例は、図７を参照されたい。該円盤３１には完全遮蔽式外カバー３６が締め付けられ、該外カバー３６によって該作動バルブ集合体３０が遮蔽され、該外カバー３６によって該作動バルブ集合体３０が守られることで、該作動バルブ集合体３０が外力による衝撃を受ける可能性が消滅される。該外カバー３６には複数の吊り板３６１と少なくとも一つの取っ手３６２が設けられ、該外カバー３６が吊り上げられるまたは取られる。本考案の別の実施例は、図８と図９を参照されたい。該容器本体１０は該円弧頂部１３に透かし彫りフレーム１６が固定され、該フレーム１６が該作動蓋板１７を囲んで設けられ、該蓋板１７には少なくとも一つの取っ手１７１が設けられ、該取っ手１７１によって該蓋板１７が取られる。以上をまとめると、本考案は該ベース板２０のフォークリフト挿込孔２１と該容器本体１０の吊金具１４を利用して、該容器本体１０を直立状態で運搬できる以外、該加熱空間２３において直立状態で加熱機能もあり、また該外カバー３６または該フレーム１６によって該作動バルブ集合体３０がより守られることで、使用安全性を有効に向上できる。
以上は、本考案に係る実施例の一部に過ぎないため、本考案の実施範囲を制限するものではない。即ち、本考案登録請求の範囲内で行われる変化、修飾なども本考案の範囲に属すべきである。
【符号の説明】
【００２０】
１０        容器本体
１１        リング部
１２        円弧底部
１３        円弧頂部
１４        吊金具
１５        結合片
１５１      開口
１６        フレーム
１７        蓋板
１７１      取っ手
２０        ベース板
２１        フォークリフト挿込孔
２２        支持棒
２３        加熱空間
２４        加熱器
３０        作動バルブ集合体
３１        円盤
３２        第一バルブ
３３        第二バルブ
３４        予備バルブ
３４１      圧力メーター
３５        空気圧バルブ
３６        外カバー
３６１      吊り板
３６２      取っ手
Ａ          直径
Ｂ          距離
Ｃ          長さ
【図１】
0003231043.tif 000003
【図２】
0003231043.tif 000004
【図３】
0003231043.tif 000005
【図４】
0003231043.tif 000006
【図５】
0003231043.tif 000007
【図６】
0003231043.tif 000008
【図７】
0003231043.tif 000009
【図８】
0003231043.tif 000010
【図９】
0003231043.tif 000011
【手続補正書】
【提出日】令和2年12月21日(2020.12.21)
【手続補正１】
【補正対象書類名】実用新案登録請求の範囲
【補正対象項目名】全文
【補正方法】変更
【補正の内容】
【実用新案登録請求の範囲】
【請求項１】
容器本体と、ベース板と、作動バルブ集合体とを含む上方充填可能なジクロロシラン容器であって、
容器本体は、筒状でリング部を有し、前記リング部は一端に向かって円弧底部が延伸し、前記リング部のもう一端は円弧頂部が延伸し、また前記リング部の直径は７５０ｍｍから８６０ｍｍの間にあり、前記円弧底部から前記円弧頂部の間の最も長い距離は９００ｍｍから１０００ｍｍの間であり、３６０Ｌから４４０Ｌの間のジクロロシラン（ＳｉＨ２Ｃｌ２）液体を収容できる容器本体であり、前記円弧頂部は４つの対角にそれぞれ吊金具が設けられ、
ベース板は、二つのフォークリフト挿込孔が対称的に設けられ、前記ベース板には十字に４本の支持棒が相対状に立てられ、また前記ベース板は前記支持棒によって前記容器本体のリング部に連接固定されることで、前記円弧底部と前記ベース板の間に開放状の加熱空間が形成され、
作動バルブ集合体は、円盤によって前記円弧頂部に固定され、また前記円盤に第一バルブと、第二バルブと、予備バルブと、空気圧バルブとが固定され、前記第一バルブは前記容器本体と繋がってジクロロシラン（ＳｉＨ２Ｃｌ２）液体を注入することができ、また前記第二バルブは前記容器本体と繋がってジクロロシラン（ＳｉＨ２Ｃｌ２）気体を導出することができ、前記予備バルブは前記容器本体と繋がって前記第一バルブ、前記第二バルブ又は前記空気圧バルブの代わりになり、前記空気圧バルブは前記容器本体と繋がってジクロロシラン（ＳｉＨ２Ｃｌ２）が前記容器本体に進出する流量をコントロールし、前記吊金具と前記フォークリフト挿込孔の四角対称構造によって、前記容器本体は直立状態で安定に保たれて運搬でき、さらに開放状の前記加熱空間によって、前記容器本体内のジクロロシラン（ＳｉＨ２Ｃｌ２）の残液が加熱方式で完全に気化できるため、前記容器本体を傾く必要がない状態において、前記第一バルブよりジクロロシラン（ＳｉＨ２Ｃｌ２）液体を充填することで、繰り返し使用可能となり、安全性向上の効果があることを特徴とする上方充填可能なジクロロシラン容器。
【請求項２】
前記予備バルブには圧力メーターが組み立てられることを特徴とする請求項１の上方充填可能なジクロロシラン容器。
【請求項３】
前記ベース板は正方形で四辺の長さは９００ｍｍから１０００ｍｍの間にあり、前記ベース板は前記容器本体より突き出した部分に前記支持棒が立てられ、前記ベース板と前記支持棒によって前記容器本体がガードされることを特徴とする請求項１の上方充填可能なジクロロシラン容器。
【請求項４】
前記リング部は同じ間隔で四つの結合片を固定し、前記結合片に開口が形成され、前記開口は前記円弧底部方向に向き、また前記支持棒が前記結合片の開口に挿し込まれ、溶接方式で前記支持棒と前記結合片が連接されことを特徴とする請求項１の上方充填可能なジクロロシラン容器。
【請求項５】
前記加熱空間に加熱器が設置され、前記加熱器は前記容器本体の円弧底部に貼り付けられることを特徴とする請求項１の上方充填可能なジクロロシラン容器。
【請求項６】
前記円盤には完全遮蔽式外カバーが締め付けられ、前記外カバーには複数の吊り板と少なくとも一つの取っ手が設けられることを特徴とする請求項１の上方充填可能なジクロロシラン容器。
【請求項７】
前記容器本体は前記円弧頂部に透かし彫りフレームが固定され、前記フレームが前記作動バルブ集合体を囲んで設けられることを特徴とする請求項１の上方充填可能なジクロロシラン容器。
【請求項８】
前記フレームの頂部面蓋には蓋板が設けられ、前記蓋板には少なくとも一つの取っ手が設けられることを特徴とする請求項７の上方充填可能なジクロロシラン容器。